(57)【要約】【課題】本発明は、歯ブラシを使用することにより歯ブラシの植毛部を構成する植毛を真っ直ぐに矯正できる歯ブラシの植毛矯正具を提供する。【解決手段】歯ブラシの植毛矯正具１０は、歯ブラシ取付フレーム１２と、この歯ブラシ取付フレーム１２に取り付けられるクリップ１４と、このクリップ１４に着脱可能に挟持される植毛矯正カバー１６と、から構成されている。前記歯ブラシ取付フレーム１２はコ字状に折り曲げて形成され、第１ストッパー部２０とクリップ固定部２２と第２ストッパー部２４を有している。前記クリップ１４の弾性挟持体３０は第１指摘み体４０、第２指摘み体４２を有している。前記弾性挟持体３０には取り外し可能な状態で前記植毛矯正カバー１６が配設されている。【選択図】図１
2017046766.tif 000002
【特許請求の範囲】
【請求項１】
歯ブラシの植毛部の植毛を矯正する歯ブラシの植毛矯正具であって、
コ字状にして形成された歯ブラシ取付フレームと、前記歯ブラシ取付フレームに形成された第１ストッパー部と、前記歯ブラシ取付フレームに前記第１ストッパー部と対抗して形成されたクリップ固定部と、前記歯ブラシ取付フレームに形成された第２ストッパー部と、前記歯ブラシ取付フレームに前記第２ストッパー部と対抗して形成された歯ブラシ挿入部と、前記クリップ固定部に取り付けられるクリップと、前記クリップを構成する弾性挟持体と、前記弾性挟持体に形成されると共に前記クリップ固定部に固定される挟持体固定片と、前記挟持体固定片の一端部に形成された第１挟持片部と、前記弾性挟持体に形成されると共に前記第１挟持片部と対抗して形成された第２挟持片部と、前記第１挟持片部に設けられた第１指摘み体と、前記第２挟持片部に設けられた第２指摘み体と、前記弾性挟持体の第１挟持片部と第２挟持片部の間に着脱可能に配設された植毛矯正カバーと、前記植毛矯正カバーに形成されると共に前記挟持体固定片に対応するカバー連結片と、前記カバー連結片の一端部に形成されると共に前記第１挟持片部に対応する第１矯正押圧カバー片と、前記カバー連結片の他端部に形成されると共に前記第２挟持片部に対応する第２矯正押圧カバー片と、を有してなることを特徴とする歯ブラシの植毛矯正具。
【請求項２】
前記植毛矯正カバーを可撓性部材で形成したことを特徴とする請求項１記載の歯ブラシの植毛矯正具。
【請求項３】
前記植毛矯正カバーを透明にしたことを特徴とする請求項１記載、請求項２のいずれか１項に記載した歯ブラシの植毛矯正具。
【発明の詳細な説明】
【技術分野】
【０００１】
本発明は、歯ブラシを使用することにより歯ブラシの植毛部を構成する植毛が外側に開いても植毛を真っ直ぐに矯正できる歯ブラシの植毛矯正具に関する。
【背景技術】
【０００２】
歯ブラシで歯を磨く場合は、歯ブラシの植毛部は歯に押し付けられて上下方向や左右方向の摺動運動を繰り返し行うため、植毛部を構成する植毛が外側方向に向かって開いてしまう。
このため、歯磨きをある程度の回数行うと歯ブラシの植毛が外側に開いた状態となる。
このように植毛が外側に開いた歯ブラシを使用して歯磨きをしても、植毛の毛先が歯間に入り難くなる等するため、歯磨き効果が著しく低下するという不具合がある。
そこで、外側に開いた歯ブラシの植毛の毛先を真っ直ぐに矯正して歯磨き効果の低下を防ぐために歯ブラシのブラシ毛矯正具が提案されている（例えば特許文献１）。
【先行技術文献】
【特許文献】
【０００３】
【特許文献１】特開平７−２８９３５６号公報
【発明の概要】
【発明が解決しようとする課題】
【０００４】
しかしながら、前記歯ブラシのブラシ毛矯正具を使用して歯ブラシの植毛を矯正する場合、矯正プレート部と矯正プレート部の間に歯ブラシの植毛だけでなく歯ブラシの柄も収容した状態で行う必要がある。
このため、歯ブラシの柄の幅が大きいと歯ブラシの柄が邪魔になり歯ブラシの植毛部を矯正プレート部が両側から強く挟持できず植毛部の植毛の矯正を適正に行えないという不具合がある。
また、前記歯ブラシのブラシ毛矯正具の矯正プレート部の内側面には複数の仕切りが突設されているため歯ブラシのブラシ毛矯正具を洗浄する場合に複数の仕切りが邪魔になり洗浄しにくいという不具合がある。
【課題を解決するための手段】
【０００５】
本発明は上記の如き実情に鑑みこれらの課題を解決することを目的として創作されたものであって、請求項１の発明は、  歯ブラシの植毛部の植毛を矯正する歯ブラシの植毛矯正具であって、
コ字状にして形成された歯ブラシ取付フレームと、前記歯ブラシ取付フレームに形成された第１ストッパー部と、前記歯ブラシ取付フレームに前記第１ストッパー部と対抗して形成されたクリップ固定部と、前記歯ブラシ取付フレームに形成された第２ストッパー部と、前記歯ブラシ取付フレームに前記第２ストッパー部と対抗して形成された歯ブラシ挿入部と、前記クリップ固定部に取り付けられるクリップと、前記クリップを構成する弾性挟持体と、前記弾性挟持体に形成されると共に前記クリップ固定部に固定される挟持体固定片と、前記挟持体固定片の一端部に形成された第１挟持片部と、前記弾性挟持体に形成されると共に前記第１挟持片部と対抗して形成された第２挟持片部と、前記第１挟持片部に設けられた第１指摘み体と、前記第２挟持片部に設けられた第２指摘み体と、前記弾性挟持体の第１挟持片部と第２挟持片部の間に着脱可能に配設された植毛矯正カバーと、前記植毛矯正カバーに形成されると共に前記挟持体固定片に対応するカバー連結片と、前記カバー連結片の一端部に形成されると共に前記第１挟持片部に対応する第１矯正押圧カバー片と、前記カバー連結片の他端部に形成されると共に前記第２挟持片部に対応する第２矯正押圧カバー片と、を有してなることを特徴としている。
請求項２の発明は、前記植毛矯正カバーを可撓性部材で形成したことを特徴としている。
請求項３の発明は、前記植毛矯正カバーを透明にしたことを特徴としている。
【発明の効果】
【０００６】
本発明の歯ブラシの植毛矯正具は、歯ブラシの植毛部だけを挟持して植毛を真っ直ぐになるよう矯正するので、歯ブラシの柄の幅の大きさに関係なく植毛部の植毛を矯正できるという優れた効果を有する。
本発明の歯ブラシの植毛矯正具は、植毛矯正カバーは着脱可能であると共に植毛矯正カバーの内側には仕切り等は形成されていないので、洗浄を容易に行うことができるという優れた効果を有する。
本発明の歯ブラシの植毛矯正具は、歯ブラシ取付フレームに第１ストッパー部が設けられているので歯ブラシの植毛部を確実に植毛矯正カバーが挟持して植毛を矯正することができるという優れた効果を有する。
本発明の歯ブラシの植毛矯正具は、歯ブラシ取付フレームに第１ストッパー部と第２ストッパー部が設けられているので歯ブラシをセットする場合に簡単に位置決めを行うことができるという優れた効果を有する。
請求項３の歯ブラシの植毛矯正具は、上記優れた効果の他に植毛矯正カバーが透明であるので植毛矯正カバーの汚れ等を直ぐに見つけることができると共に常に清潔さを保つことができるという優れた効果を有する。
【図面の簡単な説明】
【０００７】
【図１】第１実施例の歯ブラシの植毛矯正具の全体斜視図である。
【図２】第１実施例の歯ブラシの植毛矯正具の正面図である。
【図３】第１実施例の歯ブラシの植毛矯正具の側面図である。
【図４】第１実施例の歯ブラシの植毛矯正具の分解斜視図である。
【図５】第１実施例の歯ブラシの植毛矯正具の使用状態を示す正面図である。
【図６】第１実施例の歯ブラシの植毛矯正具の使用状態を示す側面図である。
【図７】第２実施例の歯ブラシの植毛矯正具の全体斜視図である。
【発明を実施するための形態】
【０００８】
発明を実施するために最良の形態の例として以下のような実施例を示す。
【実施例１】
【０００９】
図１〜図６には本発明に係る歯ブラシの植毛矯正具の第１実施例が示されている。なお、この実施例では歯ブラシ１の柄２の先端部に設けられた植毛部３を構成する植毛４を矯正する場合を例にして説明する。
【００１０】
図１〜図３に示されるように、実施例の歯ブラシの植毛矯正具１０は、歯ブラシ取付フレーム１２と、この歯ブラシ取付フレーム１２に取り付けられるクリップ１４と、このクリップ１４に着脱可能に挟持される植毛矯正カバー１６と、から構成されている。
【００１１】
図１及び図２に示されるように、前記歯ブラシ取付フレーム１２はスチール製の帯状プレートをコ字状に折り曲げて形成されている。
図５に示されるように、この歯ブラシ取付フレーム１２には歯ブラシ１の柄２の背面２Ａが当接する第１ストッパー部２０が形成され、歯ブラシ１を歯ブラシの植毛矯正具１０にセットする場合に歯ブラシ１の柄２の背面２Ａを第１ストッパー部２０に当接させることにより位置決めできるようになっている。
【００１２】
図１及び図２に示されるように、前記歯ブラシ取付フレーム１２には前記第１ストッパー部２０と対抗してクリップ固定部２２が形成されている。このクリップ固定部２２には前記クリップ１４が固定されている。
【００１３】
図５に示されるように、前記歯ブラシ取付フレーム１２の先端部には第２ストッパー部２４が形成されている。歯ブラシ１を歯ブラシの植毛矯正具１０にセットする場合に歯ブラシ１の柄２の先端面２Ｂが第２ストッパー部２４に当接させることにより歯ブラシ１の挿入が阻止され位置決めを簡単に行えるようになっている。
【００１４】
図１及び図２に示されるように、前記歯ブラシ取付フレーム１２の基端部には歯ブラシ挿入部２６が形成され、この歯ブラシ挿入部２６から歯ブラシ１の植毛部を歯ブラシ取付フレーム１２内に挿入できるようになっている。
【００１５】
図１及び図３に示されるように、前記クリップ１４の弾性挟持体３０は薄いスチールプレートを三角枠状に折り曲げて形成されている。この弾性挟持体３０の挟持体固定片３２は前記クリップ固定部２２に接着等の適宜固定手段を介して固定されている。
【００１６】
前記挟持体固定片３２の一端部には第１挟持片部３４が形成され、挟持体固定片３２の他端部には第１挟持片部３４と対抗して第２挟持片部３６が形成されている。
この第１挟持片部３４と第２挟持片部３６は第１挟持片部３４の先端部と第２挟持片部３６の先端部が互いに接近するように常時付勢されている（図３参照）。
【００１７】
前記第１挟持片部３４の外側面には第１指摘み体４０が取り付けられ、前記第２挟持片部３６の外側面には第２指摘み体４２が取り付けられている。
【００１８】
従って、前記第１指摘み体４０の先端部と前記第２指摘み体４２の先端部を強く摘まんで第１指摘み体４０の先端部と第２指摘み体４２の先端部を互いに接近させると、第１挟持片部３４の先端部と第２挟持片部３６の先端部が開き、第１指摘み体４０と第２指摘み体４２を摘ままないと第１指摘み体４０の先端部と第２指摘み体４２の先端部が互いに接近する。
【００１９】
なお、この実施例では第１指摘み体４０、第２指摘み体４２はプレートで蝶の羽の形に模って形成されると共に図示はされないが蝶の羽の模様が描かれている（図１参照）。
【００２０】
図１及び図４に示されるように、前記クリップ１４の弾性挟持体３０の内側には着脱可能な状態で前記植毛矯正カバー１６が配設されている。
【００２１】
図４に示されるように、この植毛矯正カバー１６は可撓性を有する合成樹脂製シートを略Ｕ字にして形成されている。また、前記植毛矯正カバー１６は透明な合成樹脂製シート体で形成されている。
【００２２】
前記植毛矯正カバー１６のカバー連結片４４の一端部には第１植毛矯正カバー片４６が垂直状態で立設形成され、カバー連結片４４の他端部には第１植毛矯正カバー片４６と対抗して第２植毛矯正カバー片４８が垂直状態で立設形成されている。
【００２３】
図１及び図３に示されるように、前記植毛矯正カバー１６を弾性挟持体３０の内側に配設する場合、カバー連結片４４は挟持体連結片３２に対応させ、第１植毛矯正カバー片４６は第１挟持片部３４に対応させ、第２植毛矯正カバー片４８は第２挟持片部３６に対応させるようになっている。
【００２４】
次に、実施例の歯ブラシの植毛矯正具１０を使用して歯ブラシ１の柄２の先端部に設けられた植毛部３の植毛４を矯正する場合を例にして、歯ブラシの植毛矯正具１０の作用を説明する。
【００２５】
歯ブラシ１を使用して歯磨きが終わったら、一方の手の親指と人差し指で歯ブラシの植毛矯正具１０のクリップ１４の第１指摘み体４０と第２指摘み体４２を強く摘まんで第１挟持片部３４と第２挟持片部３６を広げる。
第１挟持片部３４と第２挟持片部３６を互いに広げると植毛矯正カバー１６の第１植毛矯正カバー片４６と第２植毛矯正カバー片４８の間も広がる。
【００２６】
そして、他方の手で歯ブラシ１の柄２を持って歯ブラシ１の先端部を歯ブラシ取付フレーム１２の歯ブラシ挿入部２６に対応させると共に歯ブラシ１の柄２の背面２Ａを第１ストッパー部２０に当接させながら歯ブラシ１を第１植毛矯正カバー片４６と第２植毛矯正カバー片４８の間に挿入する。
【００２７】
歯ブラシ１の柄２の先端面２Ｂが歯ブラシ取付フレーム１２の第２ストッパー部２４に当接したら、第１指摘み体４０と第２指摘み体４２から指を離す。
これにより、前記第１挟持片部３４と前記第２挟持片部３６は弾性により互いに接近して、第１植毛矯正カバー片４６は前記第１挟持片部３４に押され、第２植毛矯正カバー片４８は前記第２挟持片部３６に押される。
【００２８】
この結果、図６に示されるように歯ブラシ１の植毛部３は両側から強い力で第１植毛矯正カバー片４６と第２植毛矯正カバー片４８に挟まれるので、歯ブラシ１を使用しない間は植毛部３の植毛４は両側から強い力で第１植毛矯正カバー片４６と第２植毛矯正カバー片４８に挟持された状態となるので植毛４は真っ直ぐに矯正される。
また、実施例の第１指摘み体４０と第２指摘み体４２は蝶の羽を模して形成されているので、歯ブラシの植毛矯正具１０を歯ブラシ１にセットしている状態は恰も歯ブラシ１にきれいな蝶が止まっている印象を与え心を和ませることが可能となる。
【００２９】
なお、第１植毛矯正カバー片４６と第２植毛矯正カバー片４８が歯ブラシ１の植毛部３の植毛４を両側から挟持する場合、挟持する強い力により歯ブラシ１が図５矢印Ａ方向に移動しようとしても歯ブラシ１の柄２の背面２Ａはフレーム１２の第１ストッパー部２０に当接しているので歯ブラシ１は図５矢印Ａ方向に移動できず植毛部３は確実に挟持される。
【００３０】
従って、歯ブラシの植毛矯正具１０を使用して植毛部３を挟持することにより、歯ブラシ１の使用により外側に開いた植毛部３の植毛４を真っ直ぐに矯正できる。
【００３１】
なお、植毛４が真っ直ぐに矯正されることにより、矯正された歯ブラシ１を使用して歯磨きすると植毛４の毛先が歯間の汚れを効率的に掃除できると共に歯垢をかき出すので虫歯予防に効果的である。
また、植毛４の毛先が真っ直ぐに矯正されると歯茎を効果的にマッサージすることができ歯槽膿漏の予防にも効果的である。
【００３２】
しかも、植毛４の毛先が真っ直ぐに矯正されることにより新品の歯ブラシと同様の感覚で歯磨きを行うことができ、新品の歯ブラシを使用する場合と同じように新鮮な感覚で歯磨きを行うことができる。
【００３３】
なお、歯ブラシの植毛矯正具１０を洗浄する場合、植毛部３の植毛４を直接矯正する植毛矯正カバー１６はクリップ１４から容易に取り外すことができるので、植毛矯正カバー１６を取り外して植毛矯正カバー１６のみを洗浄すれば歯ブラシの植毛矯正具１０全体を洗浄する必要がなく、簡単かつ効率的に洗浄できる。
また、植毛矯正カバー１６を洗浄する場合、前記第１植毛矯正カバー片４６、第２植毛矯正カバー片４８の内側面には仕切り等の突起は設けられていないので洗浄残しすることなく洗浄できる。
しかも、実施例の前記植毛矯正カバー１６は透明であるので、汚れている箇所を簡単に見つけることができて効率よく洗浄することができる。
【００３４】
また、実施例の第１指摘み体４０と第２指摘み体４２は蝶の羽を模して形成されているので、歯ブラシの植毛矯正具１０を一目見て蝶を想起させるデザインでデザイン的にも斬新で消費者の目を引き易く購買意欲を惹起させることができる。
さらに、歯ブラシの植毛矯正具１０は構造がシンプルでコンパクトであるため、歯ブラシ１を使用しない時に歯ブラシ１に取り付けておいても嵩張らず、邪魔にならない。
【００３５】
図７には第２実施例の歯ブラシの植毛矯正具５０が示されている。なお、第１実施例の歯ブラシの植毛矯正具１０と同一の構成は同一の符号を用いてその説明を省略する。
図７に示されるように、歯ブラシの植毛矯正具５０の第１指摘み体５２と第２指摘み体５４は針金体で枠状に折り曲げて形成されている。
【００３６】
従って、歯ブラシの植毛矯正具５０は針金体で第１指摘み体５２と第２指摘み体５４を形成したので、第１実施例の歯ブラシの植毛矯正具１０に比べて構成をシンプルにできるため提供価格を抑えることができる。  
なお、他の構成、作用、効果は第１実施例の歯ブラシの植毛矯正具１０と同一であるのでその説明は省略する。
【００３７】
なお、実施例では前記弾性挟持体３０を薄いスチールプレートで形成したが、弾性挟持体３０は弾性であればスチールに限定されるものでなく、例えば合成樹脂材等の他の材料で形成してもよいことは勿論である。
【００３８】
また、図６で歯ブラシ１の植毛部３が植毛矯正カバー１６で挟持されている状態図を示したが、この状態図は一例であり、植毛矯正カバー１６を挟持する弾性挟持体３０の挟持力をより強くすることにより図６に示すよりも植毛矯正カバー１６で前記植毛部３の植毛４を両側から強く挟持するようにしてもよいことは勿論である。
【００３９】
なお、第１実施例では第１指摘み体４０、第２指摘み体４２はプレートで蝶の羽の形に模って形成されると共に蝶の羽の模様を描いた場合を示したが、前記第１指摘み体４０、前記第２指摘み体４２の形状や模様は実施例に限定されるものでないことは勿論である。
【産業上の利用可能性】
【００４０】
本発明の歯ブラシの植毛矯正具は、電動歯ブラシの植毛の矯正をする場合も利用することができる。
【符号の説明】
【００４１】
１０    歯ブラシの植毛矯正具
１２    歯ブラシ取付フレーム
１４    クリップ
１６    植毛矯正カバー
２０    第１ストッパー部
２２    クリップ固定部
２４    第２ストッパー部
２６    歯ブラシ挿入部
３０    弾性挟持体
３２    挟持体固定片
３４    第１挟持片部
３６    第２挟持片部
４０    第１指摘み体
４２    第２指摘み体
４４    カバー連結片
４６    第１植毛矯正カバー片
４８    第２植毛矯正カバー片
【図１】
2017046766.tif 000003
【図２】
2017046766.tif 000004
【図３】
2017046766.tif 000005
【図４】
2017046766.tif 000006
【図５】
2017046766.tif 000007
【図６】
2017046766.tif 000008
【図７】
2017046766.tif 000009